Podtech/llm-jp-corpus-v4-ja_patent huggingface dataset:
【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】  互いに対向する第１基板と第２基板との間に液晶が挟持され、前記液晶の一方の側に第１偏光層が備えられ、前記液晶の他方の側に反射偏光層が備えられ、前記反射偏光層は前記第２基板の内面側に設けられているとともに断面くさび状を成す２つの斜面部が周期的に連続形成されたプリズム形状の誘電体干渉膜を積層して形成されており、
前記反射偏光層に光が入射されて該反射偏光層で反射される光路には、前記反射偏光層に入射された光の入射方向と前記反射偏光層において反射された光の出射方向とが異なる光路が含まれており、前記各斜面部と前記第２基板との成す角度が、各々の斜面部で互いに異なっていることを特徴とする反射型若しくは半透過反射型の液晶表示装置。
【請求項２】  前記反射偏光層は透過軸と該透過軸に直交する反射軸を有し、入射する光の前記反射軸に平行な成分の一部を反射し、一部を透過する半透過反射型の反射偏光層とされていることを特徴とする請求項１に記載の反射型若しくは半透過反射型の液晶表示装置。
【請求項３】  前記反射偏光層は前記第２基板の内面側に部分的に設けられていることを特徴とする反射型若しくは半透過反射型の液晶表示装置。
【請求項４】  前記反射偏光層の下側に、第２偏光層が設けられたことを特徴とする請求項１乃至３のうちいずれか１項に記載の反射型若しくは半透過反射型の液晶表示装置。
【請求項５】  前記反射偏光層の透過軸と、前記第２偏光層の透過軸とが、ほぼ直交して配置されたことを特徴とする請求項４に記載の反射型若しくは半透過反射型の液晶表示装置。
【請求項６】  前記反射偏光層の透過軸と、前記第２偏光層の透過軸との成す角度が、６０度以上１２０度以下とされたことを特徴とする請求項４に記載の反射型若しくは半透過反射型の液晶表示装置。
【手続補正２】
【補正対象書類名】明細書
【補正対象項目名】００１０
【補正方法】変更
【補正の内容】
【００１０】
【課題を解決するための手段】
上記課題を解決するために、本発明の液晶表示装置は、互いに対向する第１基板と第２基板との間に液晶が挟持され、前記液晶の一方の側に第１偏光層が備えられ、前記液晶の他方の側に反射偏光層が備えられ、前記反射偏光層は前記第２基板の内面側に設けられているとともに断面くさび状を成す２つの斜面部が周期的に連続形成されたプリズム形状の誘電体干渉膜を積層して形成されており、前記反射偏光層に光が入射されて該反射偏光層で反射される光路には、前記反射偏光層に入射された光の入射方向と前記反射偏光層において反射された光の出射方向とが異なる光路が含まれており、前記各斜面部と前記第２基板との成す角度が、各々の斜面部で互いに異なっていることを特徴とする。
【手続補正３】
【補正対象書類名】明細書
【補正対象項目名】００１３
【補正方法】変更
【補正の内容】
【００１３】
図４に示す反射偏光層４４は、基板４０上に互いに平行な三角柱状に形成された樹脂層４３上に、誘電体干渉膜からなる層４１と層４２とが交互に複数積層されて形成された、いわゆる３次元フォトニック結晶層である。このように、プリズム形状を成す層が積層された構成のフォトニック結晶は、光の伝搬特性に異方性を有しており、図示上面側から自然光が入射された場合には、反射偏光層４４のストライプ状の溝に垂直な成分Ｅｔはこの反射偏光層４４を透過され、前記溝に平行な成分Ｅｒは反射されるようになっている。すなわち、図４に示す反射偏光層４４は、その溝の方向と平行な反射軸と、溝の方向に垂直な透過軸を有している。反射偏光層４４を透過した光Ｅｔは、反射偏光層４４の溝に垂直な偏光となり、反射された光Ｅｒは、前記溝に平行な偏光となる。
【手続補正４】
【補正対象書類名】明細書
【補正対象項目名】００１６
【補正方法】変更
【補正の内容】
【００１６】
次に、図５を参照して本発明に係る下反射偏光層の作用について説明する。図５は、図４に示す反射偏光層を、液晶表示装置を構成する下基板に適用した場合の光の経路を示す説明図であり、下反射偏光層（反射偏光層）４４と、下基板（基板）４０の部分断面を示す図である。この図に示すように、下反射偏光層４４は、三角波状に周期的に配列された２つの斜面部４４Ａ，４４Ｂとを有して構成されている。そして、本発明に係る液晶表示装置では、前記反射偏光層に光が入射されて該反射偏光層で反射される光路には、前記反射偏光層に入射された光の入射方向と前記反射偏光層において反射された光の出射方向とが異なる光路が含まれており、それぞれの斜面部４４Ａ，４４Ｂの下基板４０に対する傾斜角α、βが、互いに異ならされて形成されている。この構成により、図１０に示す液晶表示装置のように、さまざまな方向からの外光の入射に対して外光の入射方向と反射光の出射方向とが一致するものばかりとならないので、使用者によって外光が遮断されて表示が暗くなることがない。
【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【請求項１】
誘電体材料からなる第１の層(110)と、
前記第１の層の下に配置された誘電体材料からなる第２の層(120)と、
前記第２の層の下に配置された誘電体材料および圧電式スイッチング機構からなる第３の層(140)と、
前記第３の層の下に配置された第４の層(150)と、
前記第３の層を通して延びる光経路(130)とから構成され、
前記圧電式スイッチング機構が、チャンバ(180)と、互いに等間隔で配置された第１、第２及び第３の接触パッド(192)と、前記チャンバ(180)内の両側に対向して配置された第１及び第２の圧電要素(190)と、前記チャンバ内の可動の液体(194)とを含み、
前記接触パッド(192)の各々の少なくとも一部が前記チャンバ(180)内に配置され、前記接触パッド間の隙間のうちの１つが前記光経路(130)と交差し、前記液体(194)の第１の部分が前記第１の接触パッドを濡らし、前記液体(194)の一部が前記第２及び第３の接触パッド(192)を濡らし、
前記第２の接触パッド及び前記第３の接触パッド(192)を濡らす前記液体(194)の一部が前記第１の接触パッドを濡らす第１の部分の方へ移動可能であり、前記液体の移動により前記光経路が妨害されるように構成される、圧電ラッチング光リレー。
【請求項２】
前記第１の層(110)はチャンバ(160)を形成する溝を有し、
前記第２の層は前記パッド(192)間の隙間に対応する間隔で一対のバイア(170)を有する、請求項１に記載の圧電ラッチング光リレー(100)。
【請求項３】
前記第１の光経路(130)と交差していない前記信号パッド間の隙間と交差する第２の光経路(130)をさらに含み、前記液体(194)の移動により前記光経路(130)の妨害が除去されるように構成される、請求項２に記載の圧電ラッチング光リレー(100)。
【請求項４】
前記可動の液体は水銀である、請求項３に記載の圧電ラッチング光リレー(100)。
【請求項５】
前記可動の液体はゲルマニウムである、請求項３に記載の圧電ラッチング光リレー(100)。
【請求項６】
前記第３の層(140)は、前記パッド(192)間に延びる排気通路(250)をさらに有する、請求項１に記載の圧電ラッチング光リレー(100)。
【請求項７】
前記第１の光経路と交差していない前記信号パッド(192)間の隙間と交差する第２の光経路(130)をさらに含み、前記液体(194)の移動により前記光経路(130)の妨害が除去されるように構成される、請求項６に記載の圧電ラッチング光リレー(100)。
【請求項８】
前記可動の液体は水銀である、請求項７に記載の圧電ラッチング光リレー(100)。
【請求項９】
前記可動の液体はゲルマニウムである、請求項７に記載の圧電ラッチング光リレー(100)。
【請求項１０】
チャンバ(180)内に互いに対向して配置された第１及び第２の圧電駆動要素(190)と、
前記第１の圧電駆動要素(190)と前記第２の圧電駆動要素(190)の間に配置された可動の液体(194)と、
前記チャンバ(180)と交差する光経路(130)とからなり、
前記第１の圧電駆動要素(190)の駆動によって前記液体(194)の第１の移動が生じ、該液体(194)の第１の移動によって前記光経路(130)が妨害され、前記圧電駆動要素(190)の駆動によって前記液体(194)の第２の移動が生じ、前記液体(194)の第２の移動によって前記光経路(130)の妨害が除去されるように構成される、光圧電リレー(100)。
【請求項１１】
前記チャンバ(180)内の圧電駆動要素間に互いに等間隔で配置された第１、第２、及び第３の接触パッド(192)をさらに含み、
前記可動の液体(194)が前記接触パッド(192)を濡らすことによってラッチが生じるように構成される、請求項１０に記載の光圧電リレー(100)。
【請求項１２】
第２の光経路(130)をさらに含み、前記第１の光経路(130)が前記信号パッド(192)間の第１の隙間で前記チャンバ(180)と交差し、前記第２の光経路(130)が前記信号パッド(192)間の第２の隙間で前記チャンバ(180)と交差し、前記液体(194)の第１の移動によって前記第２の光経路(130)の妨害が除去され、前記液体(194)の第２の移動によって前記第２の光経路(130)が妨害されるように構成される、請求項１１に記載の光圧電リレー(100)。
【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
複数の光源から放射された複数の光束を、複数の偏向面を持つ同一の偏向器の異なる偏向面で偏向し、異なる偏向面で偏向された光束をそれぞれ走査レンズ系を介して被走査面上に結像させる光走査装置において、
前記異なる偏向面で偏向された光束の任意の２つの主光線のなす角度を２０°以下としたことを特徴とする光走査装置。
【請求項２】
前記複数の光源から前記偏向器に至るまでの光路中に、該複数の光源からの光束を、前記偏向面で線像を形成するシリンドリカルレンズが該複数の光源毎に配置され、該複数の光源に対応する該シリンドリカルレンズは一体で構成されていることを特徴とする請求項１記載の光走査装置。
【請求項３】
複数の光源から放射された複数の光束を、複数の偏向面を持つ同一の偏向器の異なる偏向面で偏向し、異なる偏向面で偏向された光束をそれぞれ走査レンズ系を介して被走査面上に結像させる光走査装置において、
前記異なる偏向面で偏向された光束の任意の２つの主光線のなす角度を２０°以下であり、該複数の光源から該偏向器に至るまでの光路中に、該複数の光源からの光束を、該偏向面で線像を形成するシリンドリカルレンズが該複数の光源毎に配置され、該複数の光源に対応する該複数のシリンドリカルレンズは一体で構成されていることを特徴とする光走査装置。
【請求項４】
複数の光源から放射された複数の光束を、複数の偏向面を持つ同一の偏向器の異なる偏向面で偏向し、異なる偏向面で偏向された光束をそれぞれ走査レンズ系を介して被走査面上に結像させる光走査装置において、
該複数の光源から該偏向器に至るまでの光路中に、該複数の光源からの光束を、該偏向面で線像を形成するシリンドリカルレンズが該複数の光源毎に配置され、該複数の光源に対応する該複数のシリンドリカルレンズは一体で構成されていることを特徴とする光走査装置。
【請求項５】
前記偏向器は４つの偏向面をもつ回転多面鏡であることを特徴とする請求項１乃至４の何れか１項に記載の光走査装置。
【請求項６】
前記回転多面鏡は、その外接円の半径が１５ｍｍ以下であることを特徴とする請求項５記載の光走査装置。
【請求項７】
前記複数の光源は、同一の基板に配置されることを特徴とする請求項１乃至６の何れか１項に記載の光走査装置。
【請求項８】
同期信号検出用の同期検知センサーと、該同期検知センサー上へ集光させるための同期検出用レンズを有し、該同期検出用レンズは前記シリンドリカルレンズと一体で構成されていることを特徴とする請求項１乃至７の何れか１項に記載の光走査装置。
【請求項９】
前記同期検知センサーと、前記複数の光源は同一の基板上に一体で構成されていることを特徴とする請求項８記載の光走査装置。
【請求項１０】
前記偏向器は副走査断面内において２段より成ることを特徴とする請求項１乃至９の何れか１項に記載の光走査装置。
【請求項１１】
請求項１乃至１０のいずれか一項に記載の光走査装置を複数有し、各々の光走査装置の被走査面に配置され、互いに異なった色の画像を形成する複数の像担持体とを有することを特徴とするカラー画像形成装置。
【請求項１２】
外部機器から入力した色信号を異なった色の画像データに変換して各々の光走査装置に入力せしめるプリンタコントローラを有していることを特徴とする請求項１１のカラー画像形成装置。
【請求項１３】
請求項１乃至１０の何れか１項の光走査装置を用いて、前記被走査面上に設けた感光ドラムに光束を導光することを特徴とするレーザービームプリンタ。
【手続補正２】
【補正対象書類名】明細書
【補正対象項目名】００１１
【補正方法】変更
【補正の内容】
【００１１】
【課題を解決するための手段】
請求項１の発明の光走査装置は、複数の光源から放射された複数の光束を、複数の偏向面を持つ同一の偏向器の異なる偏向面で偏向し、異なる偏向面で偏向された光束をそれぞれ走査レンズ系を介して被走査面上に結像させる光走査装置において、
前記異なる偏向面で偏向された光束の任意の２つの主光線のなす角度を２０°以下としたことを特徴としている。
【手続補正３】
【補正対象書類名】明細書
【補正対象項目名】００１３
【補正方法】変更
【補正の内容】
【００１３】
請求項３の発明の光走査装置は、複数の光源から放射された複数の光束を、複数の偏向面を持つ同一の偏向器の異なる偏向面で偏向し、異なる偏向面で偏向された光束をそれぞれ走査レンズ系を介して被走査面上に結像させる光走査装置において、
前記異なる偏向面で偏向された光束の任意の２つの主光線のなす角度を２０°以下であり、該複数の光源から該偏向器に至るまでの光路中に、該複数の光源からの光束を、該偏向面で線像を形成するシリンドリカルレンズが該複数の光源毎に配置され、該複数の光源に対応する該複数のシリンドリカルレンズは一体で構成されていることを特徴としている。
【手続補正４】
【補正対象書類名】明細書
【補正対象項目名】００１４
【補正方法】変更
【補正の内容】
【００１４】
請求項４の発明の光走査装置は、複数の光源から放射された複数の光束を、複数の偏向面を持つ同一の偏向器の異なる偏向面で偏向し、異なる偏向面で偏向された光束をそれぞれ走査レンズ系を介して被走査面上に結像させる光走査装置において、
該複数の光源から該偏向器に至るまでの光路中に、該複数の光源からの光束を、該偏向面で線像を形成するシリンドリカルレンズが該複数の光源毎に配置され、該複数の光源に対応する該複数のシリンドリカルレンズは一体で構成されていることを特徴としている。
【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
中心軸上の所定の位置で集束する集光光を射出する光源装置であって、
ランプと、該ランプから射出された光を反射するリフレクタとを有し、前記所定の位置で集束する集光光を射出する光源部と、
前記光源部から射出された前記集光光のうち、中心部の光を通過させるとともに、周辺部の光を反射させることにより、該周辺部の光をその入射方向に対して逆方向に戻す反射光学系と、を備え、
前記反射光学系は、
前記光源部から射出された前記集光光のうち、前記周辺部の光を平行化するための平行化レンズと、
前記平行化レンズによって平行化された光を逆方向に反射する反射ミラーと、を備える、
光源装置。
【請求項２】
請求項１記載の光源装置であって、
前記平行化レンズは、前記周辺部の光に対応する入射面が凹面形状に形成され、射出面が平面形状に形成されており、
前記反射ミラーは、前記周辺部の光に対応する射出面の近傍に、該反射ミラーの反射面が前記中心軸に垂直となるように配置されている、
光源装置。
【請求項３】
請求項２記載の光源装置であって、
前記平行化レンズの凹面は回転双曲面形状を有している、
光源装置。
【請求項４】
請求項１記載の光源装置であって、
前記平行化レンズは、前記周辺部の光に対応する射出面が凹面形状に形成され、
入射面が平面形状に形成されており、
前記反射ミラーは、前記周辺部の光に対応する射出面の近傍に、該反射ミラーの反射面が前記中心軸に垂直となるように配置されている、
光源装置。
【請求項５】
請求項４記載の光源装置であって、
前記平行化レンズの凹面は回転楕円面形状を有している、
光源装置。
【請求項６】
請求項１ないし請求項５のいずれかに記載の光源装置であって、
前記リフレクタは、回転楕円面形状の反射面を有する楕円リフレクタである、
光源装置。
【請求項７】
請求項１ないし請求項５のいずれかに記載の光源装置であって、
前記リフレクタは、回転放物面形状の反射面を有するパラボラリフレクタであり、
前記光源部は、さらに、前記リフレクタで反射された略平行な光を前記所定の位置で集束させるレンズを備える、
光源装置。
【請求項８】
所定の照明領域を照明する照明光学系であって、
請求項１ないし請求項７のいずれかに記載の光源装置と、
前記所定の位置近傍に入射面を有し、前記光源装置から射出された光を均一化するためのロッドインテグレータと、
前記ロッドインテグレータの射出面の像を前記所定の照明領域上で結像するためのリレー光学系と、を備える、
照明光学系。
【請求項９】
プロジェクタであって、
請求項８記載の照明光学系と、
前記所定の照明領域を有し、前記照明光学系からの光を画像情報に応じて変調し、画像を表す画像光を射出する電気光学装置と、
前記電気光学装置から射出される画像光の表す画像を投写する投写光学系と、を備える、
プロジェクタ。
【手続補正書】
【提出日】平成16年12月13日(2004.12.13)
【手続補正１】
【補正対象書類名】明細書
【補正対象項目名】発明の名称
【補正方法】変更
【補正の内容】
【発明の名称】表示光学系及び表示光学系を用いた携帯端末装置
【手続補正２】
【補正対象書類名】明細書
【補正対象項目名】特許請求の範囲
【補正方法】変更
【補正の内容】
【特許請求の範囲】
【請求項１】
映像を表示する反射型表示素子と、前記反射型表示素子を照明する照明光源と、前記照明光源の光を前記反射型表示素子まで導く照明光学系と、前記反射型表示素子に表示された映像を投影するリレー光学系と、前記リレー光学系からの光束を観察者の眼球に向けて収束する収束作用を有する接眼光学系とから構成され、
前記リレー光学系による投影像が前記接眼光学系近傍に結像され、
前記リレー光学系として、複数の光学面からなる偏心プリズム光学系が用いられ、
前記偏心プリズム光学系は、前記光学面として少なくとも１つの反射面を備え、
その反射面が回転非対称な曲面形状であることを特徴とする表示光学系。
【請求項２】
前記照明光学系は、前記複数の光学面のうち、少なくとも１つの光学面を共有することを特徴とする請求項１に記載の表示光学系。
【請求項３】
前記反射型表示素子から射出する軸上主光線の前記反射型表示素子の表示面の中心を通る法線からの傾き角度をθとするとき、次の条件式（１）を満足することを特徴とする請求項１又は２記載の表示光学系。
０°≦θ＜４５°                                      ・・・（１）
【請求項４】
前記偏心プリズム光学系は、前記複数の光学面として、第１透過面、第２透過面、第１反射面及び第２反射面を有し、
前記第１透過面は、前記反射型表示素子から光が入射する位置に設けられ、
前記第２透過面は、前記第１透過面から入射した光を、前記接眼光学系に向けて射出する位置に設けられ、
前記第１反射面は、前記第１透過面から入射した光が入射する位置であって、入射した光を前記第２反射面に向けて反射する位置に設けられ、
前記第２反射面は、前記第１反射面から反射した光が入射する位置であって、入射した光を前記第２透過面に向けて反射する位置に設けられていることを特徴とする請求項１から３の何れか１項記載の表示光学系。
【請求項５】
前記第１透過面と前記第１反射面とを結ぶ光路を第１の光路、前記第２反射面と前記第２透過面とを結ぶ光路を第２の光路としたとき、
一方の光路を含む面に他方の光路を投影した場合に、前記第１の光路と前記第２の光路がプリズム内で交差するように、前記第１透過面、前記第２透過面、前記第１反射面及び前記第２反射面が設けられていることを特徴とする請求項４記載の表示光学系。
【請求項６】
前記第２透過面、前記第１反射面及び前記第２反射面の何れか１面に向かって、前記照明光源が配置されていることを特徴とする請求項１から５の何れか１項記載の表示光学系。
【請求項７】
前記何れか１面において、前記照明光源からの光の少なくとも一部が前記反射型表示素子からの光と異なる場所を通過するように、前記照明光源が配置されていることを特徴とする請求項６記載の表示光学系。
【請求項８】
前記何れか１面と前記照明光源の間に、プリズムが配置されていることを特徴とする請求項６又は７記載の表示光学系。
【請求項９】
逆光線追跡において、前記表示光学系の射出瞳中心を垂直に通り、前記反射型表示素子の表示面中心に到る光線を投影光光軸、前記反射型表示素子の表示面中心から前記照明光源の中心に到る光線を照明光光軸としたとき、
前記偏心プリズム光学系内における前記投影光光軸と前記照明光光軸が同一面内に存在しないように、前記反射型表示素子と前記照明光源が配置されていることを特徴とする請求項１から８の何れか１項記載の表示光学系。
【請求項１０】
請求項１から９の何れか１項記載の表示光学系と、
操作ボタンと、
前記表示光学系と前記操作ボタンを保持する本体部とを備え、
前記操作ボタン、前記リレー光学系及び前記接眼光学系が、前記本体部の一端から他端に向かってこの順番で配置されていることを特徴とする携帯端末装置。
【請求項１１】
請求項１から９の何れか１項記載の表示光学系と、
操作ボタンと、
反射鏡と、
前記表示光学系、前記操作ボタン及び前記反射鏡を保持する本体部とを備え、
前記操作ボタン、前記接眼光学系、及び前記リレー光学系及び前記反射鏡が、前記本体部の一端から他端に向かってこの順番で配置されていることを特徴とする携帯端末装置。
【手続補正３】
【補正対象書類名】明細書
【補正対象項目名】００３３
【補正方法】変更
【補正の内容】
【００３３】
また、リレー光学系の偏心プリズム光学系が対称面を有する場合には、プリズム加工、各々の部材の位置合わせ等、製作組立上単純になり好ましい。
【手続補正４】
【補正対象書類名】明細書
【補正対象項目名】００３６
【補正方法】変更
【補正の内容】
【００３６】
このような照明光光軸の意味は、リレー光学系として構成される偏心プリズム光学系は、特別な偏心構成の場合を除き、その反射面の偏心方向は、その反射面において反射される投影光軸上主光線と表示面中心とを通る平面の方向になる。この面内にその反射面に入射する照明光光軸が存在すると、その反射面の偏心方向の有効面は、照明光路用と投影光路用に大きくしなければならなくなり、偏心プリズム光学系が大型化するか、あるいは、光束の一部がケラレることになってしまい、明るく均一な投影が困難になる。
【手続補正書】
【提出日】平成16年3月10日(2004.3.10)
【手続補正１】
【補正対象書類名】明細書
【補正対象項目名】特許請求の範囲
【補正方法】変更
【補正の内容】
【特許請求の範囲】
【請求項１】
一対の基板間に液晶材料を挟持し、該一対の基板のうち少なくとも一方の基板の構造は、一対の極薄ガラス基板と、該一対の極薄ガラス基板間に１種類以上の光学部材と樹脂材料を積層することを特徴とする液晶表示装置。
【請求項２】
一対の基板間に液晶を挟持し、該一対の基板のうち少なくとも一方の基板は、極薄ガラス基板と厚ガラス基板との間に少なくとも１種類の光学部材と樹脂材料を積層する構成であることを特徴とする液晶表示装置。
【請求項３】
前記樹脂材料は、有機無機ハイブリッド材料であることを特徴とする請求項１又は２に記載の液晶表示装置。
【請求項４】
前記一対の基板のうち一方の基板上に、対向する基板と相対するよう、くし歯状に画素電極と共通電極が形成されることを特徴とする請求項１又は２に記載の液晶表示装置。
【請求項５】
前記光学部材は、カラーフィルタであることを特徴とする請求項１又は２に記載の液晶表示装置。
【請求項６】
以下の式の範囲となることを特徴とする請求項５記載の液晶表示装置。
【数１】
2003222842.tif 000001
ｔ：液晶層からカラーフィルタまでの距離
ｐ：ドットの短辺方向のピッチ
ｗｄ：ドットの短辺方向の非開口部の幅
【請求項７】
以下の式の範囲となることを特徴とする請求項５記載の液晶表示装置。
【数２】
2003222842.tif 000002
ｔ：液晶層からカラーフィルタまでの距離
ｐ：ドットの短辺方向のピッチ
ｗｄ：ドットの短辺方向の非開口部の幅
【請求項８】
前記一対の基板の外側に、コリメータを配置したことを特徴とする請求項５記載の液晶表示装置。
【請求項９】
以下の式の範囲となることを特徴とする請求項８記載の液晶表示装置。
【数３】
2003222842.tif 000003
ｔ：液晶層からカラーフィルタまでの距離
ｐ：ドットの短辺方向のピッチ
ｗｄ：ドットの短辺方向の非開口部の幅
【請求項１０】
以下の式の範囲となることを特徴とする請求項８記載の液晶表示装置。
2003222842.tif 000004
ｔ：液晶層からカラーフィルタまでの距離
ｐ：ドットの短辺方向のピッチ
ｗｄ：ドットの短辺方向の非開口部の幅
【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
対物光学系と、
この対物光学系の一部を構成し、機器振れによる像振れを補正する補正光学系と、
前記対物光学系のうち前記補正光学系以外の部分を保持する第１の保持部材と、
前記補正光学系を保持する第２の保持部材と、
前記第２の保持部材とともに前記補正光学系を像振れ補正のために駆動する駆動手段と、
機器振れを検出する振れ検出手段を搭載し、前記駆動手段を制御する回路が形成された制御基板と、
前記第１の保持部材、前記第２の保持部材、前記駆動手段および前記制御基板を保持する本体部材と、
前記本体部材を光軸方向に移動可能に収容する収容部材とを有することを特徴とする光学機器。
【請求項２】
前記補正光学系と前記対物光学系のうち前記補正光学系以外の部分との光軸方向における相対位置関係が固定されていることを特徴とする請求項１に記載の光学機器。
【請求項３】
前記本体部材とともに前記補正光学系を含む前記対物光学系を前記収容部材に対して光軸方向に移動させることによりピント合わせを行うことを特徴とする請求項１又は２に記載の光学機器。
【請求項４】
前記対物光学系により形成される倒立像を正立像とする正立光学系と、
前記正立像を観察者に観察させる接眼光学系とを有することを特徴とする請求項１から３のいずれか１つに記載の光学機器。
【請求項５】
前記対物光学系、前記補正光学系および前記第１の保持部材をそれぞれ一対ずつ有し、
前記本体部材は、前記一対の第１の保持部材と、前記一対の補正光学系を保持する第２の保持部材と、この第２の保持部材を駆動する駆動手段と、
この駆動手段を制御する制御基板とを保持していることを特徴とする請求項１から３のいずれか１つに記載の光学機器。
【請求項６】
前記一対の対物光学系によりそれぞれ形成される倒立像を正立像とする正立光学系と、
前記正立像を観察者に両眼により観察させる一対の接眼光学系とを有することを特徴とする請求項５に記載の光学機器。
【手続補正２】
【補正対象書類名】明細書
【補正対象項目名】０００３
【補正方法】変更
【補正の内容】
【０００３】
例えば、特開平１０−０２０２１３号公報にて提案されている振れ防止装置付き双眼鏡では、図９に示すように、左右一対の対物光学系３００Ｌ，３００Ｒと接眼光学系３１０Ｌ，３１０Ｒとの間に、それぞれ左右一対の補正光学系３２０Ｌ，３２０Ｒを配置し、振れが生じた場合には、補正光学系移動機構３３０を用いて、これらの補正光学系３２０Ｌ，３２０Ｒを対物光学系３００Ｌ，３００Ｒの光軸に対して垂直な面内において、互いに直交するＸ方向およびＹ方向に駆動して像振れを抑制する。
【手続補正３】
【補正対象書類名】明細書
【補正対象項目名】０００４
【補正方法】変更
【補正の内容】
【０００４】
また、特開平１０−３０１０３５号公報にて提案されている振れ防止装置付き双眼鏡では、図１０に示すように、左右一対の対物光学系４００Ｌ，４００Ｒと正立光学系４４０Ｒ，４４０Ｌとの間に、それぞれ左右一対の補正光学系４２０Ｌ，４２０Ｒを配置し、振れが生じた場合には、不図示の制御機構を用いてこれら補正光学系４２０Ｌ，４２０Ｒを対物光学系４００Ｌ，４００Ｒの光軸に対して垂直な面内において、二次元的に駆動する。
【手続補正４】
【補正対象書類名】明細書
【補正対象項目名】０００５
【補正方法】変更
【補正の内容】
【０００５】
さらに、特開平１０−３３３２０１号公報にて提案されている振れ防止装置付き双眼鏡では、図１１に示すように、左右一対の対物光学系５００Ｌ，５００Ｒから不図示の接眼光学系に至る左右の光軸にそれぞれ直交するピッチ（上下）方向の回動支軸５５１とヨー（左右）方向の回動支軸５５２を設け、各回動支軸を中心として可変頂角プリズム５５０Ｒ，５５０Ｌを回転変形させて像振れ補正を行うものである。可変頂角プリズム５５０Ｒ，５５０Ｌのピッチ方向駆動およびヨー方向駆動を行うために、この双眼鏡には、ピッチ方向駆動機構５６０とヨー方向駆動機構５７０とが搭載されている。
【手続補正５】
【補正対象書類名】明細書
【補正対象項目名】００４８
【補正方法】変更
【補正の内容】
【００４８】
また、図６において、ヨーブリッジ２２の上下には、連動支軸１６Ｌ，１６Ｒが貫通する嵌合孔部２２ｎが左右にそれぞれ形成されており、これら嵌合孔部２２ｎにヨー保持枠１８Ｌ，１８Ｒに圧入された連結支軸１６Ｌ，１６Ｒが挿入されることにより、ヨー保持枠１８Ｌ，１８Ｒに保持された補正光学系１１２Ｌ，１１２Ｒの光軸と前群１１１Ｌ，１１１Ｒの光軸とを一致させることができる。
【手続補正６】
【補正対象書類名】明細書
【補正対象項目名】００７５
【補正方法】変更
【補正の内容】
【００７５】
３８は略Ｌ字形状をしたフォーカス連動板であり、固定台３７と同様にＳＵＳ、ＳＰＣＣ等の金属板により形成されている。フォーカス連動板３８は、光軸１Ｌ，１Ｒを含む平面に対し直角に屈曲した保持部３８ａと、上記平面と平行な水平部３８ｂとを有する。
【手続補正７】
【補正対象書類名】明細書
【補正対象項目名】００７６
【補正方法】変更
【補正の内容】
【００７６】
水平部３８ｂには、その下面に固定台３７に設けた４箇所のエンボス上を摺動する４箇所の摺動部と、４箇所の略矩形状の孔部３８ｃ〜３８ｆが設けられている（図示せず）。
【手続補正８】
【補正対象書類名】明細書
【補正対象項目名】００７９
【補正方法】変更
【補正の内容】
【００７９】
保持部３８ａには、回転保持孔３８ｇ（図示せず）が設けられていて、フォーカスネジ４３と螺合するナット４２が取り付けられる。これにより、フォーカスネジ４３を所定の位置で回転自在に保持することができる。
【手続補正９】
【補正対象書類名】図面
【補正対象項目名】図１
【補正方法】変更
【補正の内容】
【図１】
2003222920.tif 000001
【手続補正１０】
【補正対象書類名】図面
【補正対象項目名】図２
【補正方法】変更
【補正の内容】
【図２】
2003222920.tif 000002
【手続補正１１】
【補正対象書類名】図面
【補正対象項目名】図４
【補正方法】変更
【補正の内容】
【図４】
2003222920.tif 000003
【手続補正１２】
【補正対象書類名】図面
【補正対象項目名】図６
【補正方法】変更
【補正の内容】
【図６】
2003222920.tif 000004
【手続補正１３】
【補正対象書類名】図面
【補正対象項目名】図１０
【補正方法】変更
【補正の内容】
【図１０】
2003222920.tif 000005
【手続補正１４】
【補正対象書類名】図面
【補正対象項目名】図１１
【補正方法】変更
【補正の内容】
【図１１】
2003222920.tif 000006
【手続補正書】
【提出日】平成16年6月16日(2004.6.16)
【手続補正１】
【補正対象書類名】明細書
【補正対象項目名】特許請求の範囲
【補正方法】変更
【補正の内容】
【特許請求の範囲】
【請求項１】
像ぶれ補正レンズ及びこの像ぶれ補正レンズを光軸と直交する２方向に駆動する第１、第２のアクチュエータからなり、光軸方向に移動可能な像ぶれ補正手段と、
撮像素子の露光時間を制御する光軸方向に移動可能なシャッターユニットと、
前記像ぶれ補正手段より撮像素子側に配され、光軸方向に移動可能なフォーカス調整用レンズと、
少なくとも１枚のレンズを有し、前記像ぶれ補正手段及びシャッターユニットの外周を覆った状態で光軸方向に摺動自在に支持されたレンズ枠とを備えたレンズ鏡筒であって、
前記第１、第２のアクチュエータと、前記シャッターユニットを駆動する第３のアクチュエータと、前記フォーカス調整用レンズを光軸方向に移動させる第４のアクチュエータを、光軸と直交する面内において互いに干渉しない位置に配置したことを特徴とするレンズ鏡筒。
【請求項２】
前記第１又は第２のアクチュエータと前記第３又は第４のアクチュエータは、光軸中心を挟んで略反対側に配置されたことを特徴とする請求項１に記載のレンズ鏡筒。
【請求項３】
前記像ぶれ補正手段を光軸方向に摺動自在に保持するガイド手段を配し、かつ前記像ぶれ補正手段に前記ガイド手段と嵌合する嵌合部を設けたことを特徴とする請求項１、２のいずれかに記載のレンズ鏡筒。
【請求項４】
前記嵌合部を、前記第１と第２のアクチュエータの間に設けたことを特徴とする請求項３記載のレンズ鏡筒。
【請求項５】
請求項１〜４のいずれかに記載のレンズ鏡筒を装着した撮像装置であって、撮影時には前記レンズ枠が装置本体から突出し、非撮影時には前記レンズ枠が装置本体から突出しないことを特徴とする撮像装置。
【手続補正２】
【補正対象書類名】明細書
【補正対象項目名】０００６
【補正方法】変更
【補正の内容】
【０００６】
【課題を解決するための手段】
この課題を解決するために本発明のレンズ鏡筒は、像ぶれ補正レンズ及びこの像ぶれ補正レンズを光軸と直交する２方向に駆動する第１、第２のアクチュエータからなり、光軸方向に移動可能な像ぶれ補正手段と、撮像素子の露光時間を制御する光軸方向に移動可能なシャッターユニットと、前記像ぶれ補正手段より撮像素子側に配され、光軸方向に移動可能なフォーカス調整用レンズと、少なくとも１枚のレンズを有し、前記像ぶれ補正手段及びシャッターユニットの外周を覆った状態で光軸方向に摺動自在に支持されたレンズ枠とを備えたレンズ鏡筒であって、前記第１、第２のアクチュエータと、前記シャッターユニットを駆動する第３のアクチュエータと、前記フォーカス調整用レンズを光軸方向に移動させる第４のアクチュエータを、光軸と直交する面内において互いに干渉しない位置に配置したことを特徴とするものである。この構成とすることにより、駆動手段により像ぶれ補正手段を光軸方向に移動させることが可能なレンズ鏡筒を実現でき、沈胴式のカメラなどにも対応することが可能となり、更にレンズ鏡筒の小型化を実現することができる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】００５６
【補正方法】変更
【補正の内容】
【００５６】
【発明の効果】
以上のように本発明によれば、像ぶれ補正レンズを搭載した像ぶれ補正装置を光軸方向に沿って移動可能とし、像ぶれ補正装置の２つのアクチュエータとシャッターユニットの駆動アクチュエータとフォーカス調整用レンズを光軸方向に移動させるアクチュエータを、光軸と直交する面内において互いに干渉しない位置に配置したことにより、沈胴時のレンズ鏡筒の光軸方向の長さを短縮することができる。さらにカメラ非使用時には沈胴可能となり、携帯性に優れたカメラを提供出来るとともに、小型ながら明るいレンズを提供出来る。また、像ぶれ補正装置を２本のガイドポールにより支持し、ガイドポール支持手段を２つのアクチュエータの間に構成したことにより、従来はデッドスペースであった場所を有効に利用し、他の部品との干渉を避けることができるため、精度良く光軸方向に移動させることができるばかりでなく、レンズ鏡筒のさらなる小型化を実現することができるという顕著な効果が得られる。
【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】
反射傘に内部の発光管が配置され、反射傘の開口部光学部材で覆うフラッシュ装置において、
第１及び第２の基準面を有する基準部材を備え、
上記発光管は、上記基準部材の上記第１の基準面との間に上記反射傘を狭時した状態で、上記基準部材に対して保持され、
上記光学部材は、上記基準部材の上記第２の基準面に当接した状態で、上記基準部材に対して固定されたことを特徴とする、フラッシュ装置。
【請求項２】
反射傘の内部に発光管が配置され、反射傘の開口部を光学部材で覆うフラッシュ装置において、
第１及び第２の基準面を有する基準部材を備え、
上記発光管は、上記基準部材の上記第１基準面に当接した状態で、上記基準部材に対して保持され、
上記光学部材は、上記基準部材の上記第２の基準面に当接した状態で、上記基準部材に対して、固定されたことを特徴とする、フラッシュ装置。
【請求項３】
上記光学部材は上記発光管側に突出した突出部を有し、該突出部は光学パワーを有することを特徴とする、請求項１又は２記載のフラッシュ装置。
【請求項４】
反射傘の内部に発光管が配置され、反射傘の開口部を光学部材で覆い、上記反射傘がホルダーに収納されたフラッシュ装置において、
上記発光管は上記ホルダーの底面に反射傘を狭時して後方に付勢して保持され、上記光学部材は、上記ホルダーの前面端部に固定してなることを特徴とする、フラッシュ装置。
【請求項５】
上記ホルダーは、上記底面と上記前面端部との位置関係が所定の精度で形成された樹脂成形部材であって、上記光学部材は上記発光管側に突出した突出部により光学パワーを有し、上記突出部と上記発光管は所定の隙間を確保して近接されてなることを特徴とする、請求項４に記載のフラッシュ装置。
【手続補正２】
【補正対象書類名】明細書
【補正対象項目名】００２１
【補正方法】変更
【補正の内容】
【００２１】
フラッシュ装置は、反射傘の内部に発光管が配置され、反射傘の開口部を光学部材で覆い、上記反射傘がホルダーに収納される。上記発光管は上記ホルダーの底面に反射傘を狭時して後方に付勢して保持され、上記光学部材は、上記ホルダーの前面端部に固定してなる。
上記構成においては、発光管は反射傘の厚みのみを介して上記ホルダーに固定される。また、上記光学部材は、上記ホルダーの前面開口部に対して直接固定される。
ここで、ホルダーを精度よく加工することで、発光管に対して光学部材を精度よく位置決めすることができる。
上記構成のフラッシュ装置において、好ましくは、上記ホルダーは、上記底面と上記前面端部との位置関係が所定の精度で形成された樹脂成形部材とする。また、上記光学部材は上記発光管側に突出した突出部により光学パワーを有し、上記突出部と上記発光管は所定の隙間を確保して近接して固定される。
上記構成においては、ホルダーは樹脂成形により精度よく形成され、上記発光管はと上記光学部材は、精度よく位置決めできるので、近接して固定することができる。
したがって、突出部の光学パワーにより効率よく配光でき、配光特性のばらつきも小さくすることができる。
【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】
撮影領域の画像に、主被写体検出装置により検出された主被写体の位置に対応する位置表示を重ねて表示する位置表示部を備えた表示装置において、
上記主被写体検出装置により検出された主被写体の位置を記憶する位置記憶部と、
上記位置記憶部に記憶された主被写体の位置と上記主被写体検出装置により検出された主被写体の現在の位置との差の絶対値である変位量が、第１の所定値以上であるか否かを判断する変位判断部と、
上記変位判断部により上記変位量が上記第１の所定値以上であると判断された場合、上記主被写体検出装置により検出された主被写体の現在の位置に基づいて、上記位置表示部に表示される上記位置表示を変更する位置表示変更部と、
上記変位判断部により上記変位量が上記第１の所定値以上であると判断された場合、上記位置記憶部に記憶されている主被写体の位置を、上記主被写体検出装置により検出された主被写体の現在の位置に更新する位置記憶更新部とを備えたことを特徴とする、表示装置。
【請求項２】
上記変位量が第２の所定値以上である場合、上記主被写体検出装置により検出された主被写体の現在の位置を補正して、その変位量が小さくなるようにした補正位置を、上記主被写体検出装置により検出された現在の主被写体の位置として、上記位置表示変更部及び上記位置記憶更新部を動作させる位置表示制限部を備えたことを特徴とする、請求項１記載の表示装置。
【請求項３】
撮影領域の画像に、主被写体検出装置により検出された主被写体の範囲に対応する範囲表示を重ねて表示する範囲表示部を備えた表示装置において、
上記主被写体検出装置により検出された主被写体の範囲の大きさ及びサイズのうち少なくともサイズを記憶する範囲記憶部と、
上記範囲記憶部に記憶された主被写体の範囲のサイズと上記主被写体検出装置により検出された主被写体の現在の範囲のサイズとの差の絶対値である変化量が、第３の所定値以上であるか否かを判断する変化判断部と、
上記変化判断部により上記変化量が上記第３の所定値以上であると判断された場合、上記主被写体検出装置により検出された主被写体の現在の範囲のサイズに基づいて、上記範囲表示部に表示される上記範囲表示のサイズを変更する範囲表示変更部と、
上記変化判断部により上記変化量が上記第３の所定値以上であると判断された場合、上記範囲記憶部に記憶されている主被写体の範囲のサイズを、上記主被写体検出装置により検出された主被写体の現在の範囲のサイズに更新する範囲記憶更新部とを備えたことを特徴とする、表示装置。
【請求項４】
上記変化量が第４の所定値以上である場合、上記主被写体検出装置により検出された主被写体の現在の範囲のサイズを補正して、その変化量が小さくなるようにした補正範囲のサイズを、上記主被写体検出装置により検出された現在の主被写体の範囲のサイズとして、上記範囲表示変更部及び上記範囲記憶更新部を動作させる範囲表示制限部を備えたことを特徴とする、請求項３記載の表示装置。
【請求項５】
撮影領域の画像に、主被写体検出装置により検出された主被写体を囲むように表示する表示装置を備えたカメラであって、
上記主被写体検出装置により検出された主被写体の位置またはサイズを記憶する記憶部と、
上記主被写体検出装置により検出された現在の主被写体の位置またはサイズと、上記記憶部に記憶された主被写体の位置またはサイズとを比較する判断部と、上記判断部により上記主被写体の位置またはサイズの変化が所定以下であれば表示を切り替えない位置表示変更部とを備えたことを特徴とする、カメラ。
【手続補正２】
【補正対象書類名】明細書
【補正対象項目名】００２２
【補正方法】変更
【補正の内容】
【００２２】
なお、上記構成において好ましくは、第４の所定値は、第３の所定値よりも大きくする。
また、本発明は、以下の構成のカメラを提供する。
カメラは、撮影領域の画像に、主被写体検出装置により検出された主被写体を囲むように表示する表示装置を備える。カメラは、主被写体検出装置、表示装置、記憶部、判断部、表示変更部とを備える。主被写体検出装置は、撮影領域の主被写体を検出し、記憶部は、上記主被写体検出装置により検出された主被写体の位置またはサイズを記憶する。さらに、上記主被写体検出装置により現在の主被写体の位置またはサイズを検出し、判断部は上記記憶部に記憶された主被写体の位置またはサイズとを比較する。表示変更部は、上記判断部により上記位置またはサイズの変化が所定以下であれば表示を切り替えない。
したがって、主被写体の表示のちらつきを防止することができる。
【手続補正書】
【提出日】平成17年3月31日(2005.3.31)
【手続補正１】
【補正対象書類名】明細書
【補正対象項目名】特許請求の範囲
【補正方法】変更
【補正の内容】
【特許請求の範囲】
【請求項１】
下記一般式（１）で表される化合物を含有するハロゲン化銀カラー写真感光材料。
【化１】
2003222984.tif 000001
一般式（１）中、Ｒ1は、水素原子、又は置換基を表す。Ｚ1及びＺ2は、それぞれ独立に窒素原子又は−Ｃ（Ｒ2）＝を表し、Ｒ2はアルキル基、アリール基またはヘテロ環基である。
Ｙは下記一般式（２）、（３）又は（４）で表される基を表す。
【化２】
2003222984.tif 000002
一般式（２）中、Ｌ1は−Ｎ（Ｒ71）ＳＯ2−、−Ｎ（Ｒ72）ＣＯ−、−ＣＯＮ（Ｒ73）−、−ＳＯ2Ｎ（Ｒ74）−、−ＯＣＯ−、−ＣＯＯ−、−Ｏ−、−Ｓ−、−ＣＯＮ（Ｒ75）ＳＯ2−または−ＳＯ2Ｎ（Ｒ76）ＣＯ−を表す。Ｒ3は置換基を表し、Ａ1はアルキル基、アリール基またはヘテロ環基を表す。Ｒ71、Ｒ72、Ｒ73、Ｒ74、Ｒ75、およびＲ76はそれぞれ水素原子、アルキル基、アリール基またはヘテロ環基を表す。kは０から４までの整数を表す。ただし、Ｒ3、Ｌ1、Ａ1で表される置換基の中に少なくとも一つの解離性基を含有する。
【化３】
2003222984.tif 000003
一般式（３）中、Ｑは炭素原子とともに不飽和ヘテロ環を形成する原子群を表す。Ｌ2は−Ｎ（Ｒ81）ＳＯ2−、−Ｎ（Ｒ82）ＣＯ−、−ＣＯＮ（Ｒ83）−、−ＳＯ2Ｎ（Ｒ84）−、−ＯＣＯ−、−ＣＯＯ−、−Ｏ−、−Ｓ−、−ＣＯＮ（Ｒ85）ＳＯ2−または−ＳＯ2Ｎ（Ｒ86）ＣＯ−を表す。Ｒ4は置換基を表し、Ａ2はアルキル基、アリール基またはヘテロ環基を表す。Ｒ81、Ｒ82、Ｒ83、Ｒ84、Ｒ85、およびＲ86はそれぞれ水素原子、アルキル基、アリール基またはヘテロ環基を表す。ｍは０から４までの整数を表す。ただし、Ｒ4、Ｌ2、Ａ2で表される置換基の中に少なくとも一つの解離性基を含有する。
一般式（４）
−Ｓ−[Ｃ（Ｒ5）（Ｒ6）]ｎ−（Ｌ3）−Ａ3
一般式（４）中、Ｌ3は−Ｎ（Ｒ91）ＳＯ2−、−Ｎ（Ｒ92）ＣＯ−、−ＣＯＮ（Ｒ93）−、−ＳＯ2Ｎ（Ｒ94）−、−ＯＣＯ−、−ＣＯＯ−、−Ｏ−、−Ｓ−、−ＣＯＮ（Ｒ95）ＳＯ2−または−ＳＯ2Ｎ（Ｒ96）ＣＯ−を表す。Ｒ5、Ｒ6はそれぞれ独立して水素原子またはアルキル基を表し、Ａ3はアルキル基、アリール基またはヘテロ環基を表す。Ｒ91、Ｒ92、Ｒ93、Ｒ94、Ｒ95、およびＲ96はそれぞれ水素原子、アルキル基、アリール基またはヘテロ環基を表す。ｎは１から５までの整数を表す。ただし、Ｒ5、Ｒ6、Ｌ3、Ａ3で表される置換基の中に少なくとも一つの解離性基を含有する。
【請求項２】
一般式（１）で表される化合物におけるＹが、上記一般式（２）で表される請求項１に記載のハロゲン化銀カラー写真感光材料。
【請求項３】
一般式（１）で表される化合物におけるＹが、上記一般式（２）で表され、一般式（２）で表される基におけるＬ1が−Ｎ（Ｒ71）ＳＯ2−、−Ｎ（Ｒ72）ＣＯ−であり、Ｒ71またはＲ72が水素原子である請求項１に記載のハロゲン化銀カラー写真感光材料。
【請求項４】
一般式（２）で表される基におけるＲ1、Ｒ2、Ｒ3、Ａ1の少なくとも１つにアルキルチオ基、アリールチオ基、又はヘテロ環チオ基を含む請求項１ないし請求項３のいずれか１項に記載のハロゲン化銀カラー写真感光材料。
【請求項５】
一般式（１）で表される化合物におけるＺ1が窒素原子、Ｚ2が−Ｃ（Ｒ2）＝で表される請求項１ないし請求項４のいずれか１項に記載のハロゲン化銀カラー写真感光材料。
【請求項６】
一般式（１）で表される化合物におけるＺ1が窒素原子、Ｚ2が−Ｃ（Ｒ2）＝で表され、Ｒ2がアリール基である請求項１ないし請求項５のいずれか１項に記載のハロゲン化銀カラー写真感光材料。
【手続補正２】
【補正対象書類名】明細書
【補正対象項目名】００３２
【補正方法】変更
【補正の内容】
【００３２】
Ｌ2は−Ｎ（Ｒ81）ＳＯ2−、−Ｎ（Ｒ82）ＣＯ−、−ＣＯＮ（Ｒ83）−、−ＳＯ2Ｎ（Ｒ84）−、−ＯＣＯ−、−ＣＯＯ−、−Ｏ−、−Ｓ−、−ＣＯＮ（Ｒ85）ＳＯ2−または−ＳＯ2Ｎ（Ｒ86）ＣＯ−を表し（各基の左側の結合手で一般式（３）の不飽和ヘテロ環に結合する）、Ｒ81、Ｒ82、Ｒ83、Ｒ84、Ｒ85、およびＲ86はそれぞれ水素原子、アルキル基、アリール基またはヘテロ環基を表す。Ｒ81〜Ｒ86で表されるアルキル基、アリール基またはヘテロ環基の好ましい炭素数及び具体例は、Ｒ1で表される置換基の説明で挙げるものと同じである。
【手続補正３】
【補正対象書類名】明細書
【補正対象項目名】００３６
【補正方法】変更
【補正の内容】
【００３６】
一般式（４）中、Ｌ3は−Ｎ（Ｒ91）ＳＯ2−、−Ｎ（Ｒ92）ＣＯ−、−ＣＯＮ（Ｒ93）−、−ＳＯ2Ｎ（Ｒ94）−、−ＯＣＯ−、−ＣＯＯ−、−Ｏ−、−Ｓ−、−ＣＯＮ（Ｒ95）ＳＯ2−または−ＳＯ2Ｎ（Ｒ96）ＣＯ−を表し（各基の左側の結合手で一般式（４）の［Ｃ（Ｒ５）（Ｒ６）］ｎ基に結合する）、Ｒ91、Ｒ92、Ｒ93、Ｒ94、Ｒ95、およびＲ96はそれぞれ水素原子、アルキル基、アリール基またはヘテロ環基を表し、Ｒ91〜Ｒ96で表されるアルキル基、アリール基またはヘテロ環基の好ましい炭素数及び具体例は、Ｒ1で表される置換基の説明で挙げるものと同じである。
【手続補正４】
【補正対象書類名】明細書
【補正対象項目名】００６３
【補正方法】変更
【補正の内容】
【００６３】
【化１２】
2003222984.tif 000004
【手続補正５】
【補正対象書類名】明細書
【補正対象項目名】００６４
【補正方法】変更
【補正の内容】
【００６４】
【化１３】
2003222984.tif 000005
【手続補正６】
【補正対象書類名】明細書
【補正対象項目名】０１２７
【補正方法】変更
【補正の内容】
【０１２７】
【表３】
2003222984.tif 000006